【事件の表示】
　平成　２年特許願第１３１６９０号「デジタルスキャナ」拒絶査定に対する審判事件［平成　４年　１月２９日出願公開、特開平　４−　２６２７５］について、次のとおり審決する。
【結　論】
　本件審判の請求は、成り立たない。
【理　由】
１．手続きの経緯・本願発明
　本願は、平成２年５月２２日の出願であって、その請求項１に係る発明（以下「本願発明」という。）は、平成２年１２月１１日付け、平成１１年１１月５日付け、及び平成１２年６月１９日付けの手続補正によって補正された明細書及び図面の記載からみて、その特許請求の範囲の第１項に記載された次のとおりのものである。
　
　「画像を読み取って、その画像の濃度に対応するアナログ信号を各主走査ラインの奇数画素毎と偶数画素毎とに分けて出力するイメージセンサと、
　定レベル電圧を発生する回路と、
前記イメージセンサのピーク電圧を検出し、それに対応するレベルの電圧を保持して出力するピークホールド回路と、
　制御信号に応じて前記定レベル電圧とピークホールド回路の出力電圧の一方を選択的に出力する信号セレクタと、
　前記イメージセンサから各主走査ラインの奇数画素毎と偶数画素毎とに分けられて出力されたアナログ信号を、前記信号セレクタが出力する電圧を基準レベルとして、デジタル信号に変換するＡ／Ｄ変換器と、
　前記Ａ／Ｄ変換器から出力されるデジタル信号から各主走査ラインの黒に対応する奇数画素の信号レベルと黒に対応する偶数画素の信号レベルとを検出する検出手段と、
　前記Ａ／Ｄ変換器から出力される画像の濃度に対応する各主走査ラインの有効画像信号のうち、奇数画素に対応する信号を前記検出手段により検出された黒に対応する奇数画素の信号レベルに基づいて補正し、偶数画素に対応する信号を前記検出手段により検出された黒に対応する偶数画素の信号レベルに基づいて補正する補正手段と、
　前記制御信号に応じて信号セレクタが定レベル電圧を出力している時の前記補正手段が補正した画像データを記憶するメモリ手段と、
　前記制御信号に応じて信号セレクタがピークホールド回路の出力電圧を出力している時の前記補正手段が補正した画像データと、前記メモリ手段の画像データとに対応したシェーディング補正した画像データを出力するシェーディング補正手段と、
を備えたことを特徴とするデジタルスキャナ。」
　　
２．引用刊行物
　これに対して、当審の拒絶の理由で引用した特開昭６４−７７０６９号公報（昭和６４年３月２３日出願公開、以下「引用例１」という。）には、図面とともに次の各記載がある。
　
（ア）「なお、この例ではＣＣＤイメージセンサ４０７は、１ライン当たり４８００ビットの有効データを出力する。また、出力データＤＡＴＡ１は奇数番目の各画素のデータであり、出力ＤＡＴＡ２は偶数番目の各画素のデータである。」（第６頁右下欄第１２〜１６行）
　
（イ）「前記ＣＣＤは５０００画素を使用し、４００ｄｐｉ【（１５．７本／ｍｍ）　２９７（Ａ３の横サイズ）×１５．７（本／ｍｍ）＝４６６２．９本】の読み込みが可能である。このＣＣＤの信号を、奇数（ＯＤＤ）と偶数（ＥＶＥＮ）に分けて増幅する。これは一画素当たりの時間が非常に短いために、作動増幅器の動作可能な範囲で使用するためである。この信号ＯＤＤ，ＥＶＥＮ９．４６ＭＨｚのスイッチング素子によりシリアルのアナログ信号に合成する。」（第７頁左上欄第７〜１６行）
　
（ウ）「これを第３７図に示す光量検出シェーディング補正タイミング制御でシェーディング補正し、２値化回路によって２値化する。この場合、単純２値化と、面積階調を持たせるためのディザマトリックスによる２値化を同時に行う。」（第７頁右上欄第７〜１１行）
　
（エ）「第３６図は、地肌除去（ＡＥ）機構のブロック図である。同図のように構成されたＡＥ機構において、ＡＧＣ増幅器（Ａ３）の出力電圧（アナログ画像データ）のピーク値を検出して、その電圧をＡ／Ｄ変換器の基準電圧Ｖｒｅｆに入力することにより、原稿情報の最も明るい部分を基準にＡ／Ｄ変換される。そのため仮に、地肌濃度が高い原稿でも地肌を読み取らず、画像情報のみを出力することができる。ここで基準電圧とは、基準白板を読み込んだときの白レベルと同等の電圧値で、固定された値である。すなわち、基準白板の電圧を読み込み、そのデータにより設定するのではなく、基準白板と同等の電圧に装置組付時に固定してしまうことである。」（第７頁右下欄第９〜２０行）
　
（オ）「本発明は、画像をデジタル処理することにより、地肌部を除去するＡＥモードと、画像の濃度を適宜変化させるマニュアルモードを独立に設定できることが特徴となっている。」（第８頁右上欄第９〜１２行）
　
（カ）「本発明は前述のような構成になっており、デジタル画像では地肌部と画像部でレベルを別々に変えることができるため、自動濃度調整によって地肌を消しても、画像部のレベルを適宜調整することができ、ユーザにとっても非常に有効なものとなる。」（第１３頁左下欄第３〜８行）
　
３．対比
　そこで、本願発明と引用例１に記載された発明とを対比すると、前記記載（ア）〜（カ）、及び図面第３６図に開示された事項に鑑みれば、引用例１には、以下のことが開示されている。
　「ＣＣＤシフトレジスタは、２つ備わっており、奇数番目と偶数番目のセルのものが互いに異なるシフトレジスタによって転送される。つまり、セル１，３，５，７，９，…の検出する電気レベルは下側のシフトレジスタを通って、出力され、セル２，４，６，８，１０，…の検出する電気レベルは、上側のシフトレジスタを通って出力され、イメージセンサＣＣＤの奇数番目の画像信号は作動増幅器Ａ１を通り、偶数番目の画像信号は作動増幅器Ａ２を通り、両者は信号合成部によって１つの画像信号に合成され、このアナログ画像信号は、自動ゲイン調整回路ＡＧＣを通り、Ａ／Ｄ変換器のアナログ入力端子ＩＮに印加される。
　また、ＡＧＣの出力電圧は、ピークホールド回路の入力端子にも印加され、ピークホールド回路は、ＡＧＣの出力電圧のピーク電圧を検出し、それに対応するレベルを切換部の一方の入力端子に印加する。
　切換部の他方の入力端子には、基準電圧発生部の出力する固定レベル電圧が印加され、切換部は、切換信号（ＡＥ）に応じて何れかの信号をＶｒｅｆとして選択し、その電圧をＡ／Ｄ変換器の基準レベル端子Ｖｒｅｆに印加する。つまり、原稿画像の地肌濃度に応じて読取感度を自動調整するＡＥモードにおいてはピークホールド回路の出力がＡ／Ｄ変換器のＶｒｅｆ端子に印加され、基準白板の濃度を読取る時には、基準電圧発生部の出力がＡ／Ｄ変換器のＶｒｅｆ端子に印加される。
　Ａ／Ｄ変換器の変換特性は、基準レベル端子Ｖｒｅｆに印加される電圧に応じて変化する。従って、ＡＥモードにおいては、原稿地肌の濃度に対応して、Ａ／Ｄ変換器での画像読取感度が自動的に調整され、この後、Ａ／Ｄ変換器の出力電圧は、シェーディング補正を受け、画像処理回路に出力される。」
　そうすると、本願発明の「画像の濃度に対応するアナログ信号を各主走査ラインの奇数画素毎と偶数画素毎とに分けて出力するイメージセンサ」、「定レベル電圧を発生する回路」、「イメージセンサのピーク電圧を検出し、それに対応するレベルの電圧を保持して出力するピークホールド回路」、「制御信号に応じて前記低レベル電圧とピークホールド回路の出力電圧の一方を選択的に出力する信号セレクタ」、「前記イメージセンサから各主走査ラインの奇数画素毎と偶数画素毎とに分けられて出力されたアナログ信号を、前記信号セレクタが出力する電圧を基準レベルとして、デジタル信号に変換するＡ／Ｄ変換器」、及び「シェーディング補正手段」は、それぞれ、刊行物１に記載された発明の「イメージセンサＣＣＤ」、「基準電圧発生部」、「ピークホールド回路」、「切換信号（ＡＥ）により切り換えられる切換部」、「Ａ／Ｄ変換器」、及び「光量検出シェーディング補正タイミング制御部」に相当することは、当業者には明らかであるから、
　本願発明と引用例１に記載された発明とは、
　「画像を読み取って、その画像の濃度に対応するアナログ信号を各主走査ラインの奇数画素毎と偶数画素毎とに分けて出力するイメージセンサと、
　定レベル電圧を発生する回路と、
前記イメージセンサのピーク電圧を検出し、それに対応するレベルの電圧を保持して出力するピークホールド回路と、
　制御信号に応じて前記定レベル電圧とピークホールド回路の出力電圧の一方を選択的に出力する信号セレクタと、
　前記イメージセンサから各主走査ラインの奇数画素毎と偶数画素毎とに分けられて出力されたアナログ信号を、前記信号セレクタが出力する電圧を基準レベルとして、デジタル信号に変換するＡ／Ｄ変換器と、
　前記制御信号に応じて信号セレクタがピークホールド回路の出力電圧を出力している時の画像データと、シェーディング補正した画像データを出力するシェーディング補正手段と、
を備えたことを特徴とするデジタルスキャナ。」
である点で一致し、次の２点で相違する。
（相違点１）
　本願発明は、「前記Ａ／Ｄ変換器から出力されるデジタル信号から各主走査ラインの黒に対応する奇数画素の信号レベルと黒に対応する偶数画素の信号レベルとを検出する検出手段と、前記Ａ／Ｄ変換器から出力される画像の濃度に対応する各主走査ラインの有効画像信号のうち、奇数画素に対応する信号を前記検出手段により検出された黒に対応する奇数画素の信号レベルに基づいて補正し、偶数画素に対応する信号を前記検出手段により検出された黒に対応する偶数画素の信号レベルに基づいて補正する補正手段」を有するのに対し、引用例１に記載された発明は、該検出手段及び該補正手段を有する旨を明示しない点。
（相違点２ ）
　本願発明は、「前記制御信号に応じて信号セレクタが定レベル電圧を出力している時の前記補正手段が補正した画像データを記憶するメモリ手段」を有しているのに対し、引用例１に記載された発明は、該メモリ手段を有している旨を明示しない点。
　
４．当審の判断
（相違点１について）
　複数のオプチカルブラック部を固体撮像素子の各ラインに設け、Ａ／Ｄ変換器から出力されるデジタル信号からオプチカルブラック部の画素出力を検出し、それを黒基準レベルとして、各ライン毎に有効画像信号の黒レベル補正を行うことは、例えば、当審が拒絶の理由で引用した特開昭６３−１６９８８２号公報、特開昭５９−１９４７３号公報、及び特開昭５８−７０６８５号公報に、更には、特開昭６３−６９５８号公報、特開６３−１１４２５３号公報にも示されているように、周知慣用されていることであり、
　また、Ａ／Ｄ変換器から出力される画像の濃度に対応する各主走査ラインの有効画像信号のうち、奇数画素に対応する信号を奇数画素に対応する黒レベル信号に基づいてオフセット補正し、偶数画素に対応する信号を偶数画素に対応する黒レベル信号に基づいてオフセット補正をすることは、当審が拒絶の理由で引用した特開昭６３−１９９５７０号公報に記載されている（特に第３図及びその関連説明を参照のこと。）とおり当業者には良く知られていることである。
　そして、デジタルスキャナで画像情報を読み込む時必ずオフセットを生じ、このオフセットを補正するために黒レベル補正がなされなければならないことは、当技術分野の当業者においては自明な技術常識であり、引用例１に記載された発明においても当然黒レベル補正の課題が存することは明らかであり、前記した黒レベル補正に関する周知慣用の技術を引用例１に記載された発明に適用することに全く阻害要因はないのであるから、引用例１に記載された発明に前記した周知慣用されている各主走査ラインの黒に対応する信号レベルを検出する検出手段と、特開昭６３−１９９５７０号公報に記載の前記した主走査ラインの有効画像信号のうち奇数画素に対応する信号を奇数画素に対応する黒レベル信号に基づいて補正し偶数画素に対応する信号を偶数画素に対応する黒レベル信号に基づいて補正する補正手段とを設け、本願発明の如く構成することは、当業者が適宜なし得ることである。
（相違点２について）
　基準となる濃度領域（基準濃度板、白色板等）の読み取りを行うことにより得られる画像信号の濃度レベルをシェーディング補正データとしてＲＡＭ（ランダム・アクセス・メモリ）に記憶し、後にこのデータを基にシェーディング補正を行うことは、例えば、特開昭６０−２５４８７６号公報（特に図面第２図及びその関連説明参照。）、特開昭６１−２６３３５７号公報（図面第３図及びその関連説明参照。）、及び特開昭６３−１９９５７０号公報にその記載があるとおり周知慣用されていることであるから、刊行物１に記載された発明に前記した周知慣用されているシェーディング補正用のＲＡＭを設け、シェーディング補正をするようにすることは、当業者が適宜なし得ることである。
　
５．むすび
　以上のとおり、本願発明は、引用例１に記載された発明、及び周知そして公知技術とに基いて当業者が容易に発明をすることができたものであるから、特許法第２９条第２項の規定により特許を受けることができない。
　　よって、結論のとおり審決する。